(57)【要約】【課題】  画像データを被記録材へ記録して作成したデジタル写真の焼き増し記録を簡便に行うことができる記録装置を提供する。【解決手段】  記録操作スイッチ３６が押下された場合には、記録紙Ｐへ記録すべく指定された画像の画像ファイルを読み込む（ステップＳ１）。ハードディスクドライブ２０１に保存場所を作成する（ステップＳ２）。作成した保存場所情報と記録条件ファイルからバーコードデータを作成する（ステップＳ４）。読み込んだ画像ファイルと作成した記録条件ファイルとをハードディスクドライブ２０１へ保存する（ステップＳ５）。読み込んだ画像ファイルに基づいて画像ＭＡを記録し（ステップＳ７）、バーコードデータに基づいてバーコードを記録する（ステップＳ８）。焼き増し記録実行時には、デジタル写真に形成されているバーコードを読み取って画像ファイルの保存場所を特定して記録を実行する。【選択図】図４
2006095791.tif 000002
【特許請求の範囲】
【請求項１】
保存場所の特定が可能で読込可能な状態にある画像データを読み込んで被記録材へ記録する際に、読み込んだ画像データの保存場所を特定するための画像保存場所情報から情報画像データを生成し、生成した情報画像データと読み込んだ画像データとを同じ被記録材へ記録する、ことを特徴とした記録装置。
【請求項２】
画像データ読込手段と、該画像データ読込手段で読み込んだ画像データを保存可能な画像データ記憶媒体とを備え、
前記画像データ読込手段で読み込んだ画像データを被記録材へ記録する際に、前記画像データ読込手段で読み込んだ画像データを前記画像データ記憶媒体へ保存し、前記画像データ読込手段で読み込んだ画像データの前記画像データ記憶媒体内の保存場所を特定するための画像保存場所情報から情報画像データを生成し、生成した情報画像データと前記画像データ読込手段で読み込んだ画像データとを同じ被記録材へ記録する、ことを特徴とした記録装置。
【請求項３】
請求項１又は２において、読み込んだ画像データと該画像データの情報画像データとを被記録材の同一面に記録する、ことを特徴とした記録装置。
【請求項４】
請求項１〜３のいずれか１項において、読み込んだ画像データを被記録材へ記録する際の記録条件と前記画像保存場所情報とから前記情報画像データを生成する、ことを特徴とした記録装置。
【請求項５】
請求項１〜４のいずれか１項において、前記情報画像は、バーコードである、ことを特徴とした記録装置。
【請求項６】
請求項１〜５のいずれか１項において、前記情報画像データに基づいて被記録材に記録されている情報画像を読み取り可能な情報画像読み取り装置を備え、前記情報画像読み取り装置で読み取った情報画像から前記画像保存場所情報を取得し、取得した前記画像保存場所情報から保存場所が特定される画像データを読み込んで記録を実行する、ことを特徴とした記録装置。
【請求項７】
請求項１〜５のいずれか１項において、情報処理装置との情報伝送手段を備え、前記情報処理装置から前記画像保存場所情報を受信した場合には、受信した前記画像保存場所情報から保存場所が特定される画像データを読み込んで記録を実行する、ことを特徴とした記録装置。
【請求項８】
記録装置の記録制御をコンピュータに実行させるための記録制御プログラムであって、
保存場所の特定が可能で読込可能な状態にある画像データを読み込んで被記録材へ記録する際に、読み込んだ画像データの保存場所を特定するための画像保存場所情報から情報画像データを生成する手順と、
生成した情報画像データと読み込んだ画像データとを同じ被記録材へ記録する手順とを有する、ことを特徴とした記録制御プログラム。
【請求項９】
画像データ読込手段と、該画像データ読込手段で読み込んだ画像データを保存可能な画像データ記憶媒体とを備えた記録装置の記録制御をコンピュータに実行させるための記録制御プログラムであって、
前記画像データ読込手段で読み込んだ画像データを被記録材へ記録する際に、前記画像データ読込手段で読み込んだ画像データを前記画像データ記憶媒体へ保存する手順と、
前記画像データ読込手段で読み込んだ画像データの前記画像データ記憶媒体内の保存場所を特定するための画像保存場所情報から情報画像データを生成する手順と、
生成した情報画像データと前記画像データ読込手段で読み込んだ画像データとを同じ被記録材へ記録する手順とを有する、ことを特徴とした記録制御プログラム。
【発明の詳細な説明】
【技術分野】
【０００１】
本発明は、読込可能な状態にある画像データを読み込んで被記録材へ記録する記録装置に関する。
【背景技術】
【０００２】
近年のデジタルカメラ等の普及によって、デジタルカメラ等で撮影したデジタル画像をインクジェットプリンタ等の記録装置で記録紙へ記録して、アナログカメラで撮影現像した銀塩写真と同様に鑑賞したり保存したりすることが一般的に行われるようになっている。ところで、アナログカメラは、撮影した画像が必要であるかないかに関わらず銀塩フィルムに撮影画像が感光されて銀塩フィルムを消費する。そして、一度銀塩フィルムに感光された撮影画像は、そのフィルムから消去することができない。そのため、一般的にアナログカメラによる撮影は、無駄な撮影を控えるために適切なシャッターチャンスでのみ撮影するように行われる傾向にある。
【０００３】
一方、デジタルカメラは、撮影した画像が電子データでメモリカード等に記憶され、メモリカード等は保存した画像データを消去して何度も繰り返し使用することができる。そのため、デジタルカメラによる撮影は、無駄な撮影を控える必要があまりなく、気軽にとりあえず撮影して、あとから必要な画像のみを記録紙等へ記録して保存するのが一般的な使い方となっている。しかし、必要のないデジタル画像までインクジェットプリンタ等の記録装置で写真用紙等へ記録（プリント）すると、インクや写真用紙等を無駄に消費することになる。そのため、インクジェットプリンタ等の記録装置で写真用紙等へ記録されるデジタル画像は、デジタルカメラで撮影した画像の中の特に必要な画像やお気に入りの画像等に限られてくる。また、そのような画像は、例えば銀塩写真においてネガフィルムから特定の写真のみを焼き増しすることがあるように、後から再度記録紙へ記録することが多々あるのが一般的である。
【０００４】
ところが、お気に入りのデジタル写真の画像を再度記録紙へ記録するために、大量に保存されたデジタル画像データの中から所望のデジタル画像を探し出さなければならず、それは容易な作業ではない。そのため、デジタル写真は、お気に入りのデジタル写真を再度記録紙へ記録することが簡便にできないという課題があった。このような課題を解決する従来技術の一例としては、全画像データの縮小画像を一枚の記録紙に複数並べて記録され、かつ縮小画像の個々に識別コードが付されて記録された一覧シートを作成し、所望の縮小画像の識別コードを読み取り装置で読み取ることによって、所望の縮小画像の画像をプリントすることができるものが公知である（例えば、特許文献１を参照）。
【０００５】
【特許文献１】特開平６−４４３１９号公報
【発明の開示】
【発明が解決しようとする課題】
【０００６】
しかしながら、大量の画像データの一覧シートを作成するのは多大な時間と大量の記録紙を消費するという課題がある。また、一覧シートに記録された大量の縮小画像の中から所望の画像を探し出すのは、画像データの数が多いほど困難な作業となる。さらに、近年はハードディスク装置やメモリカード等の画像データを保存する記憶媒体の価格が低下し、大量のデジタル画像を保有するデジタルカメラユーザが増えつつある。そのため、縮小画像の一覧シートから所望の画像データを探し出すことが現実的でない場合も多い。
【０００７】
本発明は、このような状況に鑑み成されたものであり、その課題は、画像データを被記録材へ記録して作成したデジタル写真の焼き増し記録を簡便に行うことができる記録装置を提供することにある。
【課題を解決するための手段】
【０００８】
上記課題を達成するため、本発明の第１の態様は、保存場所の特定が可能で読込可能な状態にある画像データを読み込んで被記録材へ記録する際に、読み込んだ画像データの保存場所を特定するための画像保存場所情報から情報画像データを生成し、生成した情報画像データと読み込んだ画像データとを同じ被記録材へ記録する、ことを特徴とした記録装置である。
【０００９】
このように、デジタルカメラで撮影したデジタル画像等の画像データを写真用紙等の被記録材へ記録してデジタル写真を作成する際には、その画像データの保存場所を特定するための画像保存場所情報から生成した情報画像データが、その画像データとともに同じ被記録材へ記録される。作成したデジタル写真の中から所望のデジタル写真を焼き増ししたい場合には、そのデジタル写真に記録されている情報画像を光学機器等による読み取り装置で読み取ることで、画像保存場所情報を取得してそのデジタル写真の画像データの保存場所を特定することができる。つまり、一度記録装置で被記録材への記録を実行してデジタル写真を作成した画像データは、そのデジタル写真に記録された情報画像から瞬時に保存場所を特定することができる。焼き増し記録したいデジタル写真の画像データの保存場所を瞬時に特定することができるので、あとは特定した画像データを被記録材へ記録するだけで所望のデジタル写真の焼き増し記録を即座に実行することができる。
【００１０】
これにより、本発明の第１の態様に記載の記録装置によれば、一度記録装置で被記録材への記録を実行してデジタル写真を作成した画像データは、そのデジタル写真に記録された情報画像から瞬時に保存場所を特定して、即座に焼き増し記録を実行することができるので、デジタル写真の焼き増し記録を簡便に行うことができるという作用効果が得られる。
【００１１】
尚、画像データの保存場所を特定するための「画像保存場所情報」とは、保存場所の特定が可能で読込可能な状態にある画像データの保存場所の情報であり、例えば、記録装置にデータ入力可能に接続されている外部記憶媒体に格納されている画像データの格納場所であるフォルダ名やその画像データのファイル名等の情報である。対象となる画像データの保存場所は、外部記憶媒体に限らず記録装置内部の記憶媒体や記録装置に設けられているメモリカードスロット等に挿入されたメモリカード等であっても良い。或いは、無線ＬＡＮ経由やインターネット経由等で情報伝送可能に接続されている装置であっても良く、そのような場合には、「画像保存場所情報」に保存先のなる装置のＩＤやＩＰアドレス等の情報も含まれることになる。  
また、「画像保存場所情報」から生成する「情報画像データ」は、「情報画像データ」に基づいて被記録材へ記録された情報画像が、画像読み取り装置で読み取ることができ、読み取った情報画像から「画像保存場所情報」等の情報を取得できるものであればどのような態様であっても良い。例えば、いわゆる２次元バーコード等の公知技術を利用することも可能である。さらに情報画像は、画像の中に記録しても目障りでない目立たない態様であれば、デジタル写真の質をほとんど損なわないので、より好ましいと言える。
【００１２】
本発明の第２の態様は、画像データ読込手段と、該画像データ読込手段で読み込んだ画像データを保存可能な画像データ記憶媒体とを備え、前記画像データ読込手段で読み込んだ画像データを被記録材へ記録する際に、前記画像データ読込手段で読み込んだ画像データを前記画像データ記憶媒体へ保存し、前記画像データ読込手段で読み込んだ画像データの前記画像データ記憶媒体内の保存場所を特定するための画像保存場所情報から情報画像データを生成し、生成した情報画像データと前記画像データ読込手段で読み込んだ画像データとを同じ被記録材へ記録する、ことを特徴とした記録装置である。
【００１３】
デジタルカメラで撮影したデジタル画像等の画像データがメモリカード等の不揮発性記憶媒体に格納されている場合には、記録装置に設けられたメモリカードスロット等の画像データ読込手段でメモリカード等に格納されている画像データを読み込んで、読み込んだ画像データを写真用紙等の被記録材へ記録してデジタル写真を作成することができる。その際に、被記録材へ記録するために読み込んだ画像データが画像データ記憶媒体へ保存される。そして、その画像データの画像データ記憶媒体内の保存場所を特定するための画像保存場所情報から生成した情報画像データが、その画像データとともに同じ被記録材へ情報画像として記録される。作成したデジタル写真の中から所望のデジタル写真を焼き増ししたい場合には、そのデジタル写真に記録されている情報画像を光学機器等による読み取り装置で読み取ることで、画像保存場所情報を取得してそのデジタル写真の画像データの画像データ記憶媒体内における保存場所を特定することができる。
【００１４】
つまり、一度記録装置で被記録材への記録を実行してデジタル写真を作成した画像データは、記録装置に設けられた画像データ記憶媒体へ保存される。そして、画像データ記憶媒体へ保存された画像データは、そのデジタル写真に記録された情報画像から瞬時に画像データ記憶媒体内における保存場所を特定することができる。焼き増し記録したいデジタル写真の画像データの保存場所を瞬時に特定することができるので、あとは特定した画像データを被記録材へ記録するだけで所望のデジタル写真の焼き増し記録を即座に実行することができる。
【００１５】
これにより、本発明の第２の態様に記載の記録装置によれば、一度記録装置で被記録材への記録を実行してデジタル写真を作成した画像データは、記録装置の画像データ記憶媒体へ保存され、そのデジタル写真に記録された情報画像から瞬時に画像データ記憶媒体内における保存場所を特定して、即座に焼き増し記録を実行することができるので、デジタル写真の焼き増し記録を簡便に行うことができるという作用効果が得られる。
【００１６】
本発明の第３の態様は、前述した第１の態様又は第２の態様において、読み込んだ画像データと該画像データの情報画像データとを被記録材の同一面に記録する、ことを特徴とした記録装置である。  
このように、画像データと情報画像データとを被記録材の同一面に記録することによって、両面記録ができない構成の記録装置においても本発明の作用効果を得ることができる。また、デジタル写真をフォトアルバム等に入れたままで情報画像を読み取ることも可能になる。
【００１７】
本発明の第４の態様は、前述した第１の態様〜第３の態様のいずれかにおいて、読み込んだ画像データを被記録材へ記録する際の記録条件と前記画像保存場所情報とから前記情報画像データを生成する、ことを特徴とした記録装置である。  
このように、記録実行時の記録条件を合わせて情報画像データを生成して記録することによって、オリジナルのデジタル写真の作成時と同じ記録条件を再現して記録を実行することが可能になる。
【００１８】
本発明の第５の態様は、前述した第１の態様〜第４の態様のいずれかにおいて、前記情報画像は、バーコードである、ことを特徴とした記録装置である。  
公知のバーコード等を情報画像に採用することによって、既存のバーコードリーダ等を利用することが可能になるので、新規に情報画像の読み取り装置等を開発することなく本発明を実施することができる。
【００１９】
本発明の第６の態様は、前述した第１の態様〜第５の態様のいずれかにおいて、前記情報画像データに基づいて被記録材に記録されている情報画像を読み取り可能な情報画像読み取り装置を備え、前記情報画像読み取り装置で読み取った情報画像から前記画像保存場所情報を取得し、取得した前記画像保存場所情報から保存場所が特定される画像データを読み込んで記録を実行する、ことを特徴とした記録装置である。  
このように、情報画像を読み取り可能な光学機器等による情報画像読み取り装置を記録装置に設けても良い。ユーザは、情報画像の読み取り装置等を別途入手することなく、記録装置のみでデジタル写真の焼き増し記録を簡便に行うことができる。
【００２０】
本発明の第７の態様は、前述した第１の態様〜第５の態様のいずれかにおいて、情報処理装置との情報伝送手段を備え、前記情報処理装置から前記画像保存場所情報を受信した場合には、受信した前記画像保存場所情報から保存場所が特定される画像データを読み込んで記録を実行する、ことを特徴とした記録装置である。
【００２１】
例えば、「情報処理装置との情報伝送手段」として赤外線通信手段等を記録装置に設け、赤外線通信機能を備えた携帯電話端末等の情報処理装置から画像保存場所情報を送信するようにしても良い。近年の高機能化された携帯電話端末においては、２次元バーコードを読み取る機能を備えたものが公知であり、デジタル写真に２次元バーコードで情報画像を記録し、その情報画像を携帯電話端末で読み取って記録装置へ送信することも可能である。
【００２２】
本発明の第８の態様は、記録装置の記録制御をコンピュータに実行させるための記録制御プログラムであって、保存場所の特定が可能で読込可能な状態にある画像データを読み込んで被記録材へ記録する際に、読み込んだ画像データの保存場所を特定するための画像保存場所情報から情報画像データを生成する手順と、生成した情報画像データと読み込んだ画像データとを同じ被記録材へ記録する手順とを有する、ことを特徴とした記録制御プログラムである。  
本発明の第８の態様に記載の記録制御プログラムによれば、この記録制御プログラムを実行することができる任意の記録装置に、前述した第１の態様に記載の発明と同様の作用効果をもたらすことができる。
【００２３】
本発明の第９の態様は、画像データ読込手段と、該画像データ読込手段で読み込んだ画像データを保存可能な画像データ記憶媒体とを備えた記録装置の記録制御をコンピュータに実行させるための記録制御プログラムであって、前記画像データ読込手段で読み込んだ画像データを被記録材へ記録する際に、前記画像データ読込手段で読み込んだ画像データを前記画像データ記憶媒体へ保存する手順と、前記画像データ読込手段で読み込んだ画像データの前記画像データ記憶媒体内の保存場所を特定するための画像保存場所情報から情報画像データを生成する手順と、生成した情報画像データと前記画像データ読込手段で読み込んだ画像データとを同じ被記録材へ記録する手順とを有する、ことを特徴とした記録制御プログラムである。  
本発明の第９の態様に記載の記録制御プログラムによれば、この記録制御プログラムを実行することができる任意の記録装置に、前述した第２の態様に記載の発明と同様の作用効果をもたらすことができる。
【発明を実施するための最良の形態】
【００２４】
以下、本発明の実施の形態を図面に基づいて説明する。  
まず、本発明に係る「記録装置」の一例としてのインクジェット式記録装置の概略構成について説明する。
【００２５】
図１は、本発明に係るインクジェット式記録装置の要部平面図であり、図２はその側面図である。図３は、本発明に係るインクジェット式記録装置と「情報処理装置」とで構成される記録システムの概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。  
キャリッジ６１の主走査方向Ｘへの往復動領域の一端側の外側には、公知のインクシステム５９が設けられている。記録を実行しない待機状態においては、キャリッジ６１がインクシステム５９の上まで移動して停止し、インクシステム５９に配設されているキャップＣＰによって記録ヘッド６２のヘッド面が封止される。このキャリッジ６１の停止位置は、ホームポジションＨＰとして規定される。
【００２６】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２７】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００２８】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。  
そして、給紙ローラ５７ｂや搬送駆動ローラ５３、及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。
【００２９】
引き続き図１〜図３を参照しながらインクジェット式記録装置５０と「情報処理装置」とで構成される記録システム１０、並びに「記録制御装置」としての記録制御部１００について説明する。  
「記録制御装置」としての記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、及び「記録実行手段」による記録紙Ｐへの記録開始操作をするための記録操作スイッチ３６の出力信号が入力される。
【００３０】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動に伴い変化するリニアスケールセンサ３２２の出力信号は、ＡＳＩＣ１０３を介してＭＰＵ１０４へ出力される。
【００３１】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３２】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の一次格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３３】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。  
カードＩＦ１１１は、「画像データ読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、携帯電話端末３０３等の赤外線通信機能を有する電子機器との赤外線通信インタフェースを実現する。  
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３４】
インクジェット式記録装置５０は、「画像データ記憶媒体」としてのハードディスクドライブ２０１を備えている。ハードディスクドライブ２０１は、ＡＳＩＣ１０３に接続されており、カードＩＦ１１１、ホストＩＦ１１２又はデバイスＩＦ１１３を介して外部から入力した画像データファイルが保存される。また、保存された画像データは、記録制御部１００からも外部から（例えば、ホストＩＦに接続されたパーソナルコンピュータ３０１等のホスト装置から）も保存されている画像データファイルを任意に読込及び削除等することができる。また、インクジェット式記録装置５０は、後述する「情報画像」を読み取り可能な「情報画像読み取り装置」としてのバーコード読み取り装置２０２を備えている。
【００３５】
つづいて、記録制御部１００における記録制御手順について説明する。
【００３６】
図４は、外部から画像データを入力して記録を実行する手順を示したフローチャートである。  
記録操作スイッチ３６が押下された場合には、まず、記録紙Ｐへ記録すべく指定された画像の画像データファイル（以下、画像ファイルという。）を読み込む（ステップＳ１）。画像ファイルは、例えば、パーソナルコンピュータ３０１、デジタルカメラ３０２又は携帯電話端末３０３から送信され、或いは、カードスロット２００に挿入されたメモリカードに格納されている。つづいて、読み込んだ画像ファイルを保存するための保存場所をハードディスクドライブ２０１に作成する（ステップＳ２）。例えば、ユニークな名称のフォルダやディレクトリ等を作成する。つづいて、その保存場所の情報（画像保存場所情報）を作成するとともに、あらかじめ設定されている記録実行条件（記録紙Ｐの種類やサイズ、記録モード等）から当該記録実行時の記録条件を保存した記録条件ファイルを作成する（ステップＳ３）。つづいて、作成した保存場所情報と記録条件ファイルから情報画像データ（バーコードデータ）を作成する（ステップＳ４）。つづいて、読み込んだ画像ファイルと作成した記録条件ファイルとをハードディスクドライブ２０１へ保存する（ステップＳ５）。
【００３７】
ここで、図５及び図６を参照しながら、本発明に係るインクジェット式記録装置５０にて外部から読み込んだ画像ファイルを記録紙Ｐへ記録して作成したデジタル写真について説明する。
【００３８】
図５は、本発明に係るインクジェット式記録装置５０にて作成したデジタル写真の第１実施例を模式的に示した平面図である。  
画像ファイルを記録した記録紙Ｐには、画像ＰＡとメモ欄ＭＡとが形成され、メモ欄ＭＡの右側に情報画像ＢＡが形成される。情報画像ＢＡは、公知の２次元バーコードであるが、特に２次元バーコードに限定されるものではなく、「画像読み取り装置」で読み取ることができ、読み取った情報画像から情報を取得できるものであればどのような態様であっても良いのは前述した通りである。
【００３９】
図６は、本発明に係るインクジェット式記録装置５０にて作成したデジタル写真の第２実施例を模式的に示した平面図である。  
このように、四辺に余白無く画像を記録（いわゆる縁なしプリント）を実行し、画像ＭＡの中に重ねて情報画像ＢＡを形成するようにしても良い。尚、デジタル写真の態様は、特に上述した２つの実施例に限定されるものではなく、情報画像が読み取り可能な状態でデジタル写真上に形成されていれば、どのような態様であって良い。また、例えば、画像ファイルのファイル名や保存場所を文字でも記録するようにしても良く、パーソナルコンピュータ３０１からユーザ操作によってハードディスクドライブ２０１内の画像ファイルを選択して焼き増し記録を実行することが可能になる。さらに、情報画像の記録が不要な場合のために、情報画像を記録しないモードを設定できるようにしても良い。
【００４０】
つづいて、再び図４を参照しながら記録制御手順を示したフローチャートのステップＳ６以降について説明する。  
読み込んだ画像ファイルと作成したバーコード（情報画像ＢＡ）データとを記録紙Ｐへ記録する際に、画像ファイルの画像内へバーコードを展開する必要があるか否かを判定する（ステップＳ６）。具体的には、図６に示したように画像ＭＡの中に重ねて情報画像ＢＡを形成する場合には、画像内へバーコードを展開する必要がある。画像内へバーコードを展開する必要がない場合には（ステップＳ６でＮｏ）、つまり、図５に示した態様のデジタル写真を作成する場合には、読み込んだ画像ファイルに基づいて画像ＭＡを記録し（ステップＳ７）、バーコードデータに基づいてバーコード（情報画像ＢＡ）を記録する（ステップＳ８）。  
一方、画像内へバーコードを展開する必要がある場合には（ステップＳ６でＹｅｓ）、つまり、図６に示した態様のデジタル写真を作成する場合には、読み込んだ画像ファイルの画像とバーコードとを重ね合わせ処理（ステップＳ９）した後、記録を実行する（ステップＳ１０）。
【００４１】
そして、本発明に係るインクジェット式記録装置５０は、所望のデジタル写真のバーコード（情報画像ＢＡ）をバーコード読み取り装置２０２で読み取るだけで焼き増し記録を実行することができる。  
つづいて、デジタル写真に記録されているバーコード（情報画像ＢＡ）をインクジェット式記録装置５０の設けられたバーコード読み取り装置２０２で読み取って焼き増し記録を実行する手順について説明する。
【００４２】
図７は、焼き増し記録実行手順の第１実施例を示したフローチャートである。尚、当該手順は、インクジェット式記録装置５０が動作している間、定周期で繰り返し実行される手順である。  
まず、バーコード読み取り装置２０２からの読み取り実行要求の有無を検出する（ステップＳ１１）。読み取り実行要求がない場合には（ステップＳ１１でＮｏ）、そのまま手順を終了し、読み取り実行要求があった場合には（ステップＳ１１でＹｅｓ）、バーコード読み取り装置２０２を介してデジタル写真のバーコード（情報画像ＢＡ）を読み取る（ステップＳ１２）。尚、記録紙Ｐへの記録実行中等に読み取り実行要求があった場合には（ステップＳ１１でＹｅｓ）、バーコード読み取り装置２０２からの読み取り実行要求に対してビジーを返す手順を加えても良い。  
つづいて、読み取ったバーコード（情報画像ＢＡ）からバーコード（情報画像ＢＡ）データを展開し（ステップＳ１３）、展開したバーコードデータからそのデジタル写真の画像ファイルの保存場所情報、及びそのデジタル写真を作成した際の記録条件が保存された記録条件ファイルを取得する（ステップＳ１４）。そして、取得した記録条件ファイルに基づいて記録条件を設定し（ステップＳ１５）、取得した画像ファイルの保存場所情報からハードディスクドライブ２０１に保存されている画像ファイルを特定して読み込んで、その画像ファイルの記録を実行する（ステップＳ１６）。
【００４３】
図８は、焼き増し記録実行手順の第２実施例を示したフローチャートである。  
前述したように、カードスロット２００に公知の赤外線通信インタフェースカード（図示せず）が挿入された場合には、携帯電話端末３０３等の赤外線通信機能を有する電子機器との赤外線通信インタフェースを実現することができる。携帯電話端末３０３で所望のデジタル写真のバーコード（情報画像ＢＡ）を読み取り、バーコード（情報画像ＢＡ）データを展開して、インクジェット式記録装置５０へ送信する。携帯電話端末３０３から赤外線通信を介してバーコードデータを受信した場合には、受信したバーコードデータからそのデジタル写真の画像ファイルの保存場所情報、及びそのデジタル写真を作成した際の記録条件が保存された記録条件ファイルを取得する（ステップＳ２１）。そして、取得した記録条件ファイルに基づいて記録条件を設定し（ステップＳ２２）、取得した画像ファイルの保存場所情報からハードディスクドライブ２０１に保存されている画像ファイルを特定して読み込んで、その画像ファイルの記録を実行する（ステップＳ２３）。
【００４４】
このようにして、画像データを記録紙Ｐへ記録して作成したデジタル写真の焼き増し記録を簡便に行うことができる。
【００４５】
また、デジタル写真の画像データの保存場所は、特にインクジェット式記録装置５０内のハードディスクドライブ２０１に限定されるものではなく、インクジェット式記録装置５０からアクセス可能な状態にある記憶媒体であればどのようなものであっても良い。例えば、カードスロット２００に挿入されてデータ読み書き可能な状態にあるメモリカードであっても良く、或いは、無線ＬＡＮやインターネット等の電気通信回線を通じてデータ入力可能な状態にある装置内の記憶媒体等であっても良い。さらに、例えばカードスロット２００に挿入されたメモリカード内の画像ファイルを全てハードディスクドライブ２０１に一括して保存し、全ての画像ファイルの保存場所情報も一括で生成してしまうモードを設定できるようにしても良い。それによって、記録実行時のスループットの向上が期待できるとともに、メモリカードのバックアップとすることができ、メモリカード内の画像ファイルを消去して新たに使用することが可能になって利便性が向上する。
【００４６】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４７】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】画像ファイルを入力して記録する手順を示したフローチャートである。
【図５】デジタル写真の第１実施例を模式的に示した平面図である。
【図６】デジタル写真の第２実施例を模式的に示した平面図である。
【図７】焼き増し記録実行手順の第１実施例を示したフローチャートである。
【図８】焼き増し記録実行手順の第２実施例を示したフローチャートである。
【符号の説明】
【００４８】
１０  記録システム、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、２０１  ハードディスクドライブ、２０２  バーコード読み取り装置、３０１  パーソナルコンピュータ、３０２  デジタルカメラ、３０３  携帯電話端末、ＢＡ  情報画像（２次元バーコード）、Ｐ  記録紙、Ｘ  主走査方向、Ｙ  副走査方向
【図１】
2006095791.tif 000003
【図２】
2006095791.tif 000004
【図３】
2006095791.tif 000005
【図４】
2006095791.tif 000006
【図５】
2006095791.tif 000007
【図６】
2006095791.tif 000008
【図７】
2006095791.tif 000009
【図８】
2006095791.tif 000010